(57)【要約】【課題】筐体を左右のどちらの手で持っても無理なく操作することができる携帯端末を提供する。【解決手段】筐体の右縁上側に設けた右タッチセンサ部１２又は筐体の左縁上側に設けた左タッチセンサ部１３からのタッチセンサ検知状態変化イベントとタッチパネル部１１からのタッチパネル検知イベントとを基に筐体が人の手によってどのように保持されているかを示す保持情報を管理する保持状態管理部１４と、保持状態管理部１４で管理されている保持情報を基に端末の操作が右手での片手操作か、左手での片手操作か又は両手での操作かを判断し、片手での操作の場合には片手での操作がし易いようにタッチパネル部１１における操作ボタンの配置を変更するＵＩ表示変更指示部１６とを備える。この構成により、筐体を左右のどちらの手で持っても無理なく操作を行うことができる。【選択図】図１
2009169820.tif 000002
【特許請求の範囲】
【請求項１】
端末を操作するためのユーザインタフェースであるタッチパネルを備えた携帯端末
において、
筐体の右縁上側及び左縁上側の少なくとも一方に設けられたタッチセンサと、
前記タッチセンサに触れることで該タッチセンサから出力されるイベント情報と前記タッチパネルに触れることで該タッチパネルから出力されるイベント情報とを基に筐体が人の手によってどのように保持されているかを示す保持情報を管理する保持状態管理手段と、
前記保持状態管理手段で管理されている保持情報を基に端末の操作が右手での片手操作か左手での片手操作か又は両手での操作かを判断し、片手での操作の場合には片手での操作を行い易いように前記タッチパネルに対応してモニタ上に表示する操作ボタンの配置を変更する表示変更手段と、
を備えた携帯端末。
【請求項２】
前記表示変更手段は、前記タッチセンサに触れている親指の位置によって前記操作ボタンの表示範囲を変更する請求項１に記載の携帯端末。
【請求項３】
前記表示変更手段は、前記タッチセンサに触れている親指の位置が該タッチセンサの上側になるほど、前記操作ボタンの表示範囲を前記モニタ上の上側へ拡げる請求項２に記載の携帯端末。
【請求項４】
前記表示変更手段は、親指の支点にあたる筐体上の点と前記操作ボタンを結ぶ直線上で前記操作ボタンを移動させる請求項１に記載の携帯端末。
【発明の詳細な説明】
【技術分野】
【０００１】
本発明は、携帯電話やＰＤＡ（Personal Digital Assistant）等の携帯端末に関する。
【背景技術】
【０００２】
近年、携帯電話やＰＤＡ等の携帯端末におけるユーザインタフェースとしてタッチパネルが使われ始めている。タッチパネルの採用によりユーザは画面を触るだけで直感的に端末を操作することができる。
【０００３】
携帯端末はユーザによって様々な持ち方で使われる。具体的には次のように分けられる。
・右手で保持、右手で操作
・左手で保持、左手で操作
・右手で保持、左手で操作
・左手で保持、右手で操作
【０００４】
図１７に筐体を右手で保持して右手で操作する場合の概要を示す。この図に示す点線は、片手で保持するときの右手の親指の稼動範囲を表している。また、Ａ、Ｂ、Ｃ、…のアルファベットで示す各ブロックはタッチパネルに対応してモニタ（液晶ディスプレイ、有機ＥＬディスプレイ等）上に表示されるソフトウェアキー（以下、操作ボタンと呼ぶ）を表すものである。この図に示すように、右手の親指で点線の外側にある操作ボタンを自然に押下することが困難である。例えば「Ａ」及び「Ｂ」の機能が該当する。逆に、筐体を左手で保持し、操作する場合の概要を図１８に示す。この場合は逆に「Ｃ」及び「Ｄ」の機能について、左手の親指で点線の外側にある操作ボタンを自然に押下することが難しい。
【０００５】
一方、筐体を右手で保持して左手で操作する場合と、左手で保持して右手で操作する場合は片手で操作する制限はない。逆に、制限がないので画面全体を広く使えるように機能を割り当てた方が使い易いと言える。
【０００６】
従来、機器をどのような状態で保持しているかによって入力デバイスあるいは出力デバイスの機能をユーザに合った最適な環境に設定する提案がある（例えば、特許文献１参照）。特許文献１では、機器筐体の両側部に機器筐体を手で保持したときの接触状態を検出するタッチセンサを配置し、機器のＣＰＵ（Central Processing Unit）がタッチセンサの検出結果に基づいて機器筐体の保持状態を判別して操作ボタンの機能を切り替えるようにしている。
【０００７】
【特許文献１】特開２０００−３３０９４６号公報
【発明の開示】
【発明が解決しようとする課題】
【０００８】
しかしながら、特許文献１で開示された技術は、機器筐体を右手で持つときと左手で持つときで入力方法及び出力方法を変更することで、ユーザの使い勝手を向上させたものであるが、スキャナ付きハンディターミナルでの使用を前提にしたものであり、大きさが携帯電話やＰＤＡ等の携帯端末よりも大きく、機器筐体を保持するとき親指以外の指が逆の側面に回らないことを前提にしている。そのため、そのままの検知方法を携帯端末に応用すると、正しく検知することができないという問題がある。
【０００９】
また、保持する手によって操作ボタン相対配置を変更するので、操作時に混乱が生ずる虞があるという問題もある。
【００１０】
本発明は、係る事情に鑑みてなされたものであり、筐体を左右のどちらの手で持っても無理なく操作することができる携帯端末を提供することを目的とする。
【課題を解決するための手段】
【００１１】
本発明の携帯端末は、端末を操作するためのユーザインタフェースであるタッチパネルを備えた携帯端末において、筐体の右縁上側及び左縁上側の少なくとも一方に設けられたタッチセンサと、前記タッチセンサに触れることで該タッチセンサから出力されるイベント情報と前記タッチパネルに触れることで該タッチパネルから出力されるイベント情報とを基に筐体が人の手によってどのように保持されているかを示す保持情報を管理する保持状態管理手段と、前記保持状態管理手段で管理されている保持情報を基に端末の操作が右手での片手操作か左手での片手操作か又は両手での操作かを判断し、片手での操作の場合には片手での操作を行い易いように前記タッチパネルに対応してモニタ上に表示する操作ボタンの配置を変更する表示変更手段と、を備えた。
【００１２】
上記構成によれば、筐体を右手で操作する場合は、右手での操作がし易いように操作ボタンの配置を変更し、筐体を左手で操作する場合は、左手での操作がし易いように操作ボタンの配置を変更するので、筐体を左右のどちらの手で持っても無理なく操作を行うことができる。
【００１３】
また、上記構成において、前記表示変更手段は、前記タッチセンサに触れている親指の位置によって前記操作ボタンの表示範囲を変更する。
【００１４】
上記構成によれば、片手操作時には操作ボタンの相対的な位置は保持したまま、親指の届く範囲内に操作ボタンを配置させるので、手の大きい人でも小さい人でも無理なく操作を行うことができる。
【００１５】
また、上記構成において、前記表示変更手段は、前記タッチセンサに触れている親指の位置が該タッチセンサの上側になるほど、前記操作ボタンの表示範囲を前記モニタ上の上側へ拡げる。
【００１６】
上記構成によれば、片手操作時には操作ボタンの相対的な位置は保持したまま、親指の位置がタッチセンサの上側になるほど、前記操作ボタンの表示範囲を上側へ拡げるので、手の大きい人でも小さい人でも無理なく操作を行うことができる。
【００１７】
また、上記構成において、前記表示変更手段は、親指の支点にあたる筐体上の点と前記操作ボタンを結ぶ直線上で前記操作ボタンを移動させる。
【００１８】
上記構成によれば、親指の出す方向を常に一定にできるので、操作性の向上が図れる。
【発明の効果】
【００１９】
本発明は、筐体の持ち方によって操作ボタンの配置を変更するので、筐体を左右のどちらの手で持っても無理なく操作を行うことができる。
【発明を実施するための最良の形態】
【００２０】
以下、本発明を実施するための好適な実施の形態について、図面を参照して詳細に説明する。
【００２１】
（実施の形態１）
図１は、本発明の実施の形態１に係る携帯端末の概略構成を示すブロック図である。この図は本実施の形態の携帯端末１０の操作及び表示を行う部分のみを示したものであり、タッチパネル部１１と、右タッチセンサ部１２と、左タッチセンサ部１３と、保持状態管理部１４と、表示部１５と、ＵＩ（User Interface）表示変更指示部１６とを備えて構成される。
【００２２】
タッチパネル部１１は、表示部１５の上に設けられたタッチパネルである。右タッチセンサ部１２は、図２に示すようにタッチパネル部１１の画面を正面に見て右側の側面に設けられている。図３は右タッチセンサ部１２を使用するときの持ち方を示す外観図であり、右手の親指が右タッチセンサ部１２に触れている。左タッチセンサ部１３は、図４に示すように、タッチパネル部１１の画面を正面に見て左側の側面に設けられている。図５は左タッチセンサ部１３を使用するときの持ち方を示す外観図であり、左手の親指が左タッチセンサ部１３に触れている。
【００２３】
右タッチセンサ部１２及び左タッチセンサ部１３における検知状態は以下の２種類である。
無し：タッチセンサに指が触れていない状態
有り：タッチセンサに指が触れている状態
【００２４】
右タッチセンサ部１２及び左タッチセンサ部１３では、タッチセンサに指が触れたときにタッチセンサ検知状態変更イベントを出力する。このタッチセンサ検知状態変更イベントの情報として、以下の２種類のいずれかを保持状態管理部１４に通知する。
センサ検知状態が無し⇒有りの変化イベント
センサ検知状態が有り⇒無しの変化イベント
【００２５】
図６は、右タッチセンサ部１２の動作を示すフローチャートである。なお、左タッチセンサ部１３の動作も右タッチセンサ部１２と同様であるので説明を省略する。図６において、まずタッチセンサ検知状態の変化を判定し（ステップＳＴ１０）、当該状態に変化が無ければその変化が有るまでこのステップを繰り返し、変化が有ればタッチセンサ検知状態変更イベントを保持状態管理部１４に通知し（ステップＳＴ１１）、ステップＳＴ１０の判定に戻る。このように、右タッチセンサ部１２及び左タッチセンサ部１３は、センサの検知待ち状態を維持し、タッチセンサ検知状態が変化したときのみタッチセンサ検知状態変更イベントを保持状態管理部１４に通知する。
【００２６】
図１において、タッチパネル部１１は、指が触れたことを検知し、タッチパネル検知イベントとして保持状態管理部１４に通知する。なお、指が触れた位置から表示部１５の画面上の位置も保持状態管理部１４に通知する。また、指の接触の検知には感圧式と静電式の２通りがあり、前者は圧力の変化を検知し、後者は静電気による電気信号を検知する。
【００２７】
図７は、タッチパネル部１０の動作を示すフローチャートである。図７において、まずタッチパネル検知状態の変化の有無を判定し（ステップＳＴ２０）、当該状態に変化が無ければその変化が有るまでこのステップを繰り返し、変化が有ればタッチパネル検知イベントを保持状態管理部１４に通知し（ステップＳＴ２１）、ステップＳＴ２０の判定に戻る。このように、タッチパネル部１０に指が触れたことを検知したときにタッチパネル検知イベントを保持状態管理部１４に通知する。
【００２８】
図１に戻り、保持状態管理部１４は、右タッチセンサ部１２又は左タッチセンサ部１３からのタッチセンサ検知状態変化イベント（イベント情報）とタッチパネル部１１からのタッチパネル検知イベント（イベント情報）とを基に現在の保持状態を管理する。保持状態管理部１４は、以下に状態を保持状態と定義し、管理している。
１．初期状態：まだユーザが端末（携帯端末、以下同様）を保持していない状態
２．左片手保持：左手で保持している状態
３．左片手操作前：左手の親指で端末を操作しようとしている状態
４．左手操作後：左手の親指で端末を１回以上操作している状態
５．左保持右操作：左手で保持したまま、右手で操作している状態
６．右片手保持：右手で保持している状態
７．右片手操作前：右手の親指で端末を操作しようとしている状態
８．右片手操作後：右手の親指で端末を１回以上操作している状態
９．右保持左操作：右手で保持したまま、左手で操作している状態
１０．両手保持：両手で端末を保持している状態
【００２９】
また、保持状態管理部１４は、保持状態の管理に関して、上記した保持状態を右タッチセンサ部１２又は左タッチセンサ部１３から入力されるタッチセンサ検知状態変化イベントとタッチパネル部１１から入力されるタッチパネル検知イベントとを基に保持状態を遷移させる。図８に保持状態遷移を示す。この保持状態遷移はテーブル形式で保持状態管理部１４に保持される。
【００３０】
“初期状態”は、現在のタッチ状態が左右共に未タッチの「×、×」状態であり、この初期状態で左タッチセンサ部１３に指でタッチすると、左がタッチ状態となって、「×、×」状態から「○、×」状態になり、「２．左手片手保持」の状態に遷移する。
また、初期状態の「×、×」状態で右タッチセンサ部１２に指でタッチすると、右がタッチ状態となって、「×、×」状態から「×、○」状態になり、「６．右手片手保持」の状態に遷移する。
また、初期状態でタッチパネル部１１がタッチされた場合、「１．初期状態」を維持する。
【００３１】
また、左片手保持の「○、×」状態で左タッチセンサ部１３から指を離すと、左が未タッチ状態となって、「○、×」状態から「×、×」状態になり、「３．左片手操作前」の状態に遷移する。
また、左片手保持の「○、×」状態で右タッチセンサ部１２にタッチすると、右がタッチ状態となって、「○、×」状態から「○、○」状態になり、「１０．両手保持」の状態に遷移する。
また、左片手保持の「○、×」状態でタッチパネル部１１がタッチされた場合、「５．左保持右操作」に遷移する。
【００３２】
また、左片手操作前の「×、×」状態で左タッチセンサ部１３にタッチすると、左がタッチ状態となって、「×、×」状態から「○、×」状態になり、「２．左片手保持」の状態に遷移する。
また、左片手操作前の「×、×」状態で右タッチセンサ部１２にタッチすると、右がタッチ状態となって、「×、×」状態から「×、○」状態になり、「６．右片手保持」の状態に遷移する。
また、左片手操作前の「×、×」状態でタッチパネル部１１がタッチされた場合、「４．左片手操作後」に遷移する。
【００３３】
また、左片手操作後の「×、×」状態で左タッチセンサ部１３にタッチすると、左がタッチ状態となって、「×、×」状態から「○、×」状態になり、「２．左片手保持」の状態に遷移する。
また、左片手操作後の「×、×」状態で右タッチセンサ部１２にタッチすると、右がタッチ状態となって、「×、×」状態から「×、○」状態になり、「６．右片手保持」の状態に遷移する。
また、左片手操作後の「×、×」状態でタッチパネル部１１がタッチされた場合、「４．左片手操作後」を維持する。
【００３４】
また、左保持右操作の「○、×」状態で左タッチセンサ部１３から指を離すと、左が未タッチ状態となって、「○、×」状態から「×、×」状態になり、「３．左片手操作前」の状態に遷移する。
また、左保持右操作の「○、×」状態で右タッチセンサ部１２にタッチすると、右がタッチ状態となって、「○、×」状態から「○、○」状態になり、「１０．両手保持」の状態に遷移する。
また、左保持右操作の「○、×」状態でタッチパネル部１１がタッチされた場合、「５．左保持右操作」を維持する。
【００３５】
また、右片手保持の「×、○」状態で左タッチセンサ部１３にタッチすると、左がタッチ状態となって、「×、○」状態から「○、○」状態になり、「１０．両手保持」の状態に遷移する。
また、右片手保持の「×、○」状態で右タッチセンサ部１２から指を離すと、右が未タッチ状態となって、「×、○」状態から「×、×」状態になり、「７．右片手操作前」の状態に遷移する。
また、右片手保持の「×、○」状態でタッチパネル部１１がタッチされた場合、「９．右保持左操作」に遷移する。
【００３６】
また、右片手操作前の「×、×」状態で左タッチセンサ部１３にタッチすると、左がタッチ状態となって、「×、×」状態から「○、×」状態になり、「２．左片手保持」の状態に遷移する。
また、右片手操作前の「×、×」状態で右タッチセンサ部１２にタッチすると、右がタッチ状態となって、「×、×」状態から「×、○」状態になり、「６．右片手保持」の状態に遷移する。
また、右片手操作前の「×、×」状態でタッチパネル部１１がタッチされた場合、「８．右片手操作後」に遷移する。
【００３７】
また、右片手操作後の「×、×」状態で左タッチセンサ部１３にタッチすると、左がタッチ状態となって、「×、×」状態から「○、×」状態になり、「２．左片手保持」の状態に遷移する。
また、右片手操作後の「×、×」状態で右タッチセンサ部１２にタッチすると、右がタッチ状態となって、「×、×」状態から「×、○」状態になり、「６．右片手保持」の状態に遷移する。
また、右片手操作後の「×、×」状態でタッチパネル部１１がタッチされた場合、「８．右片手操作後」を維持する。
【００３８】
また、右保持左操作の「×、○」状態で左タッチセンサ部１３にタッチすると、左がタッチ状態となって、「×、○」状態から「○、○」状態になり、「１０．両手保持」の状態に遷移する。
また、右保持左操作の「×、○」状態で右タッチセンサ部１２から指を離すと、右が未タッチ状態となって、「×、○」状態から「×、×」状態になり、「７．右片手操作前」の状態に遷移する。
また、右保持左操作の「×、○」状態でタッチパネル部１１がタッチされた場合、「９．右保持左操作」を維持する。
【００３９】
また、両手保持の「○、○」状態で左タッチセンサ部１３から指を離すと、左が未タッチ状態となって、「○、○」状態から「×、○」状態になり、「６．右片手保持」の状態に遷移する。
また、両手保持の「○、○」状態で右タッチセンサ部１２から指を離すと、右が未タッチ状態となって、「○、○」状態から「○、×」状態になり、「２．左片手保持」の状態に遷移する。
また、両手保持の「○、○」状態でタッチパネル部１１がタッチされた場合、「１０．両手保持」を維持する。
【００４０】
図９は、保持状態を遷移するときの保持状態管理部１４の動作を示すフローチャートである。図９において、まず保持状態を「１．初期状態」にセットし、ＵＩ表示変更指示部１６に通知する（ステップＳＴ３０）。次いで、イベント情報（タッチセンサ検知状態変更イベント又はタッチパネル検知イベント）を受信したかどうか判定し（ステップＳＴ３１）、受信しない場合はそれを受信するまでステップＳＴ３１の処理を繰り返す。イベントを受信した場合は、図８に示す保持状態のテーブルに従って保持状態を遷移する（ステップＳＴ３２）。次いで、保持状態をＵＩ変更指示部１６に通知する（ステップＳＴ３３）。すなわち、保持状態を常にＵＩ変更指示部１６と共有するため通知を行う。
【００４１】
図１に戻り、ＵＩ表示変更指示部１６は、保持状態管理部１４が管理している保持状態を基に表示モードを変更する。すなわち、ＵＩ表示変更指示部１６は、保持状態管理部１４から通知される保持状態を基に表示モードを変更する。表示モードは以下に示す３種類がある。
【００４２】
ノーマルモード：タッチパネル部１１のボタン配置の制限無し。
両手で操作しているときや、保持している手と逆の手で操作しているときに用いることを想定。
右手モード：タッチパネル部１１のボタン配置を左上隅以外の所に再配置する。
右手だけの操作を想定。
左手モード：タッチパネル部１１のボタン配置を右上隅以外の所に再配置する。
左手だけの操作を想定。
なお、右手モード及び左手モードのときのタッチパネルの変更の仕方については後述する。
【００４３】
表示モードと保持状態の関係は実装上いろいろ挙げられるが、ここでは代表的なパターンを図１０に示す。パターン１は、右手又は左手で片手操作を１回以上行うと、その手のモードに遷移するというものである。すなわち、左片手操作後に左手モードに遷移し、また右片手操作後に右手モードに遷移する。パターン２は、右手又は左手で片手操作をしようとした瞬間にその手モードに遷移するというものである。具体的には、右手の片手操作をしようと親指を右タッチセンサ部１２から離した瞬間に右手モードに遷移する。また、左手の片手操作をしようと親指を左タッチセンサ部１３から離した瞬間に左手モードに遷移する。
【００４４】
図１１は、ＵＩ変更指示部１６の動作を示すフローチャートである。基本的には保持状態から表示モードに従って表示を変更する。図１１において、まず保持状態を受信したかどうか判定し（ステップＳＴ４０）、受信しない場合はそれを受信するまでステップＳＴ４０の処理を繰り返す。保持状態を受信した場合は、表示モードを、受信した保持状態から図１０に示す表示モードテーブルに従って変更する（ステップＳＴ４１）。次いで、表示モードが変更したかどうか判定し（ステップＳＴ４２）、変更してない場合はステップＳＴ４０に戻り、変更した場合は変更後の表示モードに従って表示を変更する（ステップＳＴ４３）。
【００４５】
（右手モード及び左手モード）
右手（左手）の親指で届きやすいように、左上（右上）にある操作ボタンの配置を移動させて、親指の届きやすい位置に移動させる。例えば、親指の支点から親指の長さを半径にした円の外に中心がある操作ボタンの位置を変更する。図１２に示す操作ボタンの配置では、右手で操作する場合は、「Ａ」の操作ボタンが該当するので、該操作ボタンの位置を変更させる。また、左手で操作する場合は、図１３に示すように、「Ｄ」の操作ボタンが該当するので、該操作ボタンの位置を変更させる。
【００４６】
「Ａ」の操作ボタンを移動させることで、全体の操作ボタンを少しずつずらすようにしてもよい。図１２では「Ａ」から「Ｄ」までの操作ボタンを少しずつ右に移動させて、右手で押し易くしている。同様に、図１３では「Ａ」から「Ｄ」までの操作ボタンを少しずつ左に移動させて、左手で押し易くしている。
【００４７】
なお、親指の支点の決め方は端末の形状によって変わるが、端末毎に固定するとよい。例えば、端末を保持する筐体の中央より少し下の右端及び左端のそれぞれの支点があるとよい。
【００４８】
図１４に、実際のアプリケーションでの動作イメージを示す。右手モードでは「戻る」ボタンを中央寄りに移動させることで、右手で押し易くなる。左手モードでは「メモ追加」ボタンを中央寄りに移動させることで、左手で押し易くなる。
【００４９】
このように本実施の形態の携帯端末１０によれば、筐体の右縁上側に設けた右タッチセンサ部１２又は筐体の左縁上側に設けた左タッチセンサ部１３からのタッチセンサ検知状態変化イベントとタッチパネル部１１からのタッチパネル検知イベントとを基に筐体が人の手によってどのように保持されているかを示す保持情報を管理する保持状態管理部１４と、保持状態管理部１４で管理されている保持情報を基に端末の操作が右手での片手操作か、左手での片手操作か又は両手での操作かを判断し、片手での操作の場合には片手での操作がし易いようにタッチパネル部１１における操作ボタンの配置を変更するＵＩ表示変更指示部１６とを備えたので、右手又は左手で持って片手で操作するときと、右手又は左手で保持していて逆の手で操作するときで、そのとき使う最適なユーザインタフェースで端末を操作することができる。また、状態遷移と表示モードの対応を変更することで保持している状態と表示モードの対応を柔軟に変えることができる。
【００５０】
（実施の形態２）
次に、本発明の実施の形態２に係る携帯端末について説明する。なお、本実施の形態の携帯端末は、前述した実施の形態１の携帯端末１０と同様の構成を採るので、図１を援用することとする。また、実施の形態１の携帯端末１０と区別するために本実施の形態の携帯端末に付与する符号を“２０”とする。
【００５１】
本実施の形態の携帯端末２０は、右タッチセンサ部１２のタッチセンサ検知状態変化イベントにタッチセンサ部１２のどの部分を親指がタッチしているかを示す情報を有し、この情報に従い、タッチセンサ部１２の上方の部分に触れている場合は、右手モード移行時において、操作ボタンを移動させる場所の範囲を広めにし、タッチセンサ部１２の下方の部分に触れている場合は、届き難いと判断して、右手モード移行時において、操作ボタンを移動させる場所の範囲を狭めにする。
【００５２】
具体的には、親指の支点から親指の長さを半径にした円の外のキーを移動させる場合、その半径を右タッチセンサ部１２の触れる部分によって変更させる。図１５の（ａ）に示すように、右タッチセンサ部１２の上方の部分に触れている場合はその半径を大きめにする。また、図１５の（ｂ）に示すように、右タッチセンサ部１２の下方の部分に触れている場合はその半径を小さめにする。右タッチセンサ部１２の触れている位置情報は、右タッチセンサ部１２からタッチセンサ検知状態変化イベントにより保持状態管理部１４で管理を行う。そして、保持状態とともにＵＩ表示変更指示部１６に通知を行い、右手モード遷移時にその情報を元に表示範囲の変更を加える。なお、上記処理は左タッチセンサ部１３でも同様である。
【００５３】
このように本実施の形態の携帯端末２０によれば、手の大きさによって操作ボタンの移動範囲を変更するので、手の小さい人も手の大きい人にも最適なユーザインタフェースを提供できる。
【００５４】
（実施の形態３）
次に、本発明の実施の形態３に係る携帯端末について説明する。なお、本実施の形態の携帯端末は、前述した実施の形態１の携帯端末１０と同様の構成を採るので、図１を援用することとする。また、実施の形態１の携帯端末１０と区別するために本実施の形態の携帯端末に付与する符号を“３０”とする。
【００５５】
本実施の形態の携帯端末３０は、右手モード（左手モード）遷移時の操作ボタンの遷移の仕方に特徴を有するものである。本実施の形態の携帯端末３０では、右手モード（左手モード遷移時）に右親指支点と呼ぶ固定点からその移動対象にある操作ボタンまで引いた直線上で移動させる。右親指支点は固定であり端末によって固定的に決める。
【００５６】
実際の例を図１６に示す。この図において、「Ａ」の操作ボタンは右親指から届かないところにあるので、「Ａ」から右親指支点まで引いた直線上で「Ａ」を移動させる。「Ｂ」の操作ボタンに関しては、「Ａ」の移動により「Ｂ」と重なってしまうので、「Ｂ」から右親指支点まで引いた直線上で「Ｂ」を移動させる。このように移動させることで、右モード（左モード）に遷移するときに「Ａ」の操作ボタンを押すときに親指の出す方向を変えなくてよくなるので、違和感なく使用することができる。
【００５７】
このように本実施の形態の携帯端末３０によれば、片手で扱いやすいように操作ボタンの位置変更をする際に親指の出す方向を変更しないように移動させるので、ノーマルモードと右手（又は左手）モードで違和感なく扱えるようなユーザインタフェースを提供できる。
【００５８】
なお、上記実施の形態では、携帯電話やＰＤＡ等の携帯端末について述べたが、本発明は、携帯端末と略同様の形状の装置（例えばテレビやレコーダ等で使用されるリモコン）にも勿論適用することができる。
【産業上の利用可能性】
【００５９】
本発明は、筐体を左右のどちらの手で持っても無理なく操作することができるといった効果を有し、携帯電話やＰＤＡ等の携帯端末への適用が可能である。
【図面の簡単な説明】
【００６０】
【図１】本発明の実施の形態１に係る携帯端末の操作及び表示を行う部分の構成を示すブロック図
【図２】本発明の実施の形態１に係る携帯端末を右タッチセンサ部が見える側から見た斜視図
【図３】本発明の実施の形態１に係る携帯端末を右手で持っている様子を示す斜視図
【図４】本発明の実施の形態１に係る携帯端末を左タッチセンサ部が見える側から見た斜視図
【図５】本発明の実施の形態１に係る携帯端末を左手で持っている様子を示す斜視図
【図６】本発明の実施の形態１に係る携帯端末の右タッチセンサ部の動作を説明するためのフローチャート
【図７】本発明の実施の形態１に係る携帯端末のタッチパネル部の動作を説明するためのフローチャート
【図８】本発明の実施の形態１に係る携帯端末の保持状態管理部が実行する保持状態遷移処理を説明するための図
【図９】本発明の実施の形態１に係る携帯端末の保持状態管理部の動作を説明するためのフローチャート
【図１０】本発明の実施の形態１に係る携帯端末のＵＩ表示変更指示部が実行する表示モードの変更処理を説明するための図
【図１１】本発明の実施の形態１に係る携帯端末のＵＩ表示変更指示部の動作を説明するためのフローチャート
【図１２】本発明の実施の形態１に係る携帯端末のＵＩ表示変更指示部が実行する操作ボタン右手操作時の位置変更処理を説明するための図
【図１３】本発明の実施の形態１に係る携帯端末のＵＩ表示変更指示部が実行する操作ボタン左手操作時の位置変更処理を説明するための図
【図１４】本発明の実施の形態１に係る携帯端末のＵＩ表示変更指示部が実行する位置変更処理を説明するための図
【図１５】本発明の実施の形態２に係る携帯端末のＵＩ表示変更指示部が実行する表示モードの変更処理を説明するための図
【図１６】本発明の実施の形態３に係る携帯端末のＵＩ表示変更指示部が実行する表示モードの変更処理を説明するための図
【図１７】従来の携帯端末を右手で保持して右手で操作する場合の概要を示す図
【図１８】従来の携帯端末を左手で保持して左手で操作する場合の概要を示す図
【符号の説明】
【００６１】
１０、２０、３０  携帯端末
１１  タッチパネル部
１２  右タッチセンサ部
１３  左タッチセンサ部
１４  保持状態管理部
１５  表示部
１６  ＵＩ表示変更指示部
【図１】
2009169820.tif 000003
【図２】
2009169820.tif 000004
【図３】
2009169820.tif 000005
【図４】
2009169820.tif 000006
【図５】
2009169820.tif 000007
【図６】
2009169820.tif 000008
【図７】
2009169820.tif 000009
【図８】
2009169820.tif 000010
【図９】
2009169820.tif 000011
【図１０】
2009169820.tif 000012
【図１１】
2009169820.tif 000013
【図１２】
2009169820.tif 000014
【図１３】
2009169820.tif 000015
【図１４】
2009169820.tif 000016
【図１５】
2009169820.tif 000017
【図１６】
2009169820.tif 000018
【図１７】
2009169820.tif 000019
【図１８】
2009169820.tif 000020